(57)【特許請求の範囲】
【請求項１】
複数のＬＥＤ照明器具をそれぞれ独立したタイミングでストロボ点灯させるＬＥＤストロボ点灯電源装置において、
a)前記複数のＬＥＤ照明器具にそれぞれ対応して設けられ、各ＬＥＤ照明器具に供給する駆動電流をオン・オフする複数の半導体スイッチと、
b)商用交流電源による交流電圧を第１の直流電圧に変換する交流−直流変換回路と、
c)前記複数の半導体スイッチを通して前記複数のＬＥＤ照明器具にそれぞれ駆動電流を供給するために該複数の半導体スイッチにそれぞれ対応して設けられ、前記交流−直流変換回路の出力電圧を受けて前記第１の直流電圧よりも低い電圧値である第２の直流電圧を出力する複数の定電圧回路と、
d)前記複数の定電圧回路のそれぞれにおいて正負の電圧入力端間に接続された電圧低下抑制用の複数のコンデンサと、
e)前記交流−直流変換回路の正電圧出力端と前記複数の定電圧回路の正電圧入力端との間にそれぞれ介挿された複数の抵抗器と、
を備え、前記第１の直流電圧の電圧値と前記第２の直流電圧の電圧値の差を前記複数のＬＥＤ照明器具が同時にストロボ点灯したときの前記交流−直流変換回路の出力電圧の低下よりも大きく定めたことを特徴とするＬＥＤストロボ点灯電源装置。
【発明の詳細な説明】
【技術分野】
【０００１】
本発明は、ＬＥＤ（発光ダイオード）が用いられたＬＥＤ照明器具を間欠的に点灯させるつまりはストロボ点灯させるＬＥＤストロボ点灯電源装置に関し、さらに詳しくは、複数のＬＥＤ照明器具を異なるタイミングで以てストロボ点灯させることが可能なＬＥＤストロボ点灯電源装置に関する。
【背景技術】
【０００２】
工場における製品の外観検査や選別検査のために、製造ライン上を移動する製品を撮影し、それにより得られた画像に対して画像認識などのデータ処理を行って製品の欠陥を見つけ出したり製品形状を判定したりする検査装置が利用されている。こうした検査装置では、画像を取り込むに際して撮影対象物をごく短時間だけ照明する照明器具、即ち、ストロボ点灯させる照明器具が用いられることがある。照明器具としては従来はキセノン管などが用いられていたが、近年は、長寿命、省電力などの利点から、ＬＥＤを光源としたＬＥＤ照明器具の利用が急速に進んでいる。
【０００３】
ＬＥＤ照明器具用のストロボ点灯電源装置として例えば非特許文献１などがある。上記検査装置では、複数の製造ライン上で或いは一つの製造ライン上の異なる位置で並行して検査を行うために、複数のＬＥＤ照明器具を異なるタイミングでストロボ点灯させることも求められる。そのため、非特許文献１のストロボ点灯電源装置では、点灯のタイミングや時間を独立に設定可能な２チャンネルの出力が設けられている。
【０００４】
図４はこうした従来のＬＥＤストロボ点灯電源装置のブロック構成の一例である。
このストロボ点灯電源装置１００は、外部の商用交流電源２から供給される交流電力を直流電力に変換するＡＣ／ＤＣコンバータ１０１と、ＡＣ／ＤＣコンバータ１０１の直流電圧出力端に接続されるコンデンサ１０２と、制御部１０５によりそれぞれ制御される第１、第２である二つのパルス発生部１０３ａ、１０３ｂと、該パルス発生部１０３ａ、１０３ｂから与えられるパルス信号によってオン・オフ駆動される第１、第２である二つの半導体スイッチ１０４ａ、１０４ｂと、を含む。第１チャンネル（Ｃｈ．１）の照明器具に含まれるＬＥＤ３ａは、ＡＣ／ＤＣコンバータ１０１の正電圧出力端と第１半導体スイッチ１０４ａとの間に接続され、第２チャンネル（Ｃｈ．２）の照明器具に含まれるＬＥＤ３ｂは、ＡＣ／ＤＣコンバータ１０１の正電圧出力端と第２半導体スイッチ１０４ｂとの間に接続される。ＡＣ／ＤＣコンバータ１０１は例えば十分な出力容量を有するスイッチング電源である。また、半導体スイッチ１０４ａ、１０４ｂは通常ＦＥＴである。なお、通常、ＬＥＤ３ａ、３ｂはそれぞれ複数のＬＥＤが直列及び／又は並列に接続されたものであるが、ここでは１個のＬＥＤの記号で代表的に示す。
【０００５】
図５は図４に示したＬＥＤストロボ点灯電源装置１００の動作を説明するための概略波形図である。
Ｃｈ．１のＬＥＤ３ａをストロボ点灯させる際に、第１パルス発生部１０３ａは制御部１０５から受けた制御信号に基づき、図５（ｂ）に示すような所定幅（例えば１０〜１０００μsec程度の時間幅）のパルス信号を生成する。このパルス信号がハイレベルである期間だけ第１半導体スイッチ１０４ａはオンし、ＡＣ／ＤＣコンバータ１０１の出力電圧に応じた駆動電流がＬＥＤ３ａに流れる。これによって、該ＬＥＤ３ａは発光する。Ｃｈ．２のＬＥＤ３ｂをストロボ点灯させる際も同様であり、第２パルス発生部１０３ｂは制御部１０５から受けた制御信号に基づき、図５（ｂ）に示すような所定幅のパルス信号を生成する。
【０００６】
検査装置に用いられるストロボ点灯電源装置において特に重要なことは、ストロボ発光毎の光量のばらつきや時間的な変化が少ないことである。何故なら、ストロボ発光毎の発光光量がばらついたり発光光量が時間的に変化したりしてしまうと、全く同一の物体の画像を取り込んだ場合でも色相が微妙に異なってしまい、正確な画像認識に支障をきたすことがあるからである。
【０００７】
上記ストロボ点灯電源装置１００においてＡＣ／ＤＣコンバータ１０１にはスイッチング電源が利用されるが、出力の応答性が高速なスイッチング電源であっても１０〜１０００[μsec]といったごく短時間の負荷電流の変動には十分に追従できず、出力電圧が低下することがある。コンデンサ１０２はこうしたＡＣ／ＤＣコンバータ１０１の出力電圧の低下をカバーする機能を有しており、このコンデンサ１０２の容量を大きくしておくことで電圧低下は或る程度カバーできるものの、図５（ａ）に示すように、ＬＥＤ３ａ、３ｂが発光している期間中にＡＣ／ＤＣコンバータ１０１の出力電圧が徐々に低下することがある。その結果、本来は図５（ｃ）中に点線で示すような矩形状のパルス電圧がＬＥＤ３ａ、３ｂに印加される筈であるのに、図５（ｃ）中に斜線で囲んだように電圧が徐々に下がってしまう場合がある。ＬＥＤ３ａ、３ｂの１回のストロボ点灯中の発光光量は図５に示したパルス電圧の面積に依存するから、点灯中に電圧が一定に維持される場合と電圧が徐々に下がる場合とでは発光光量に差が生じてしまう。
【０００８】
また、二つのチャンネル（Ｃｈ．１、Ｃｈ．２）で一部又は全ての発光期間が重なるようにストロボ点灯のタイミングが設定された場合、図６（ａ）に示すように、発光が重なる期間では出力電圧の低下速度が一層大きくなるため、点灯中の発光光量の変化が顕著になる。また特に、遅れて点灯した側のＬＥＤ（図６の例ではＣｈ．２）が点灯している間に供給される駆動電力（つまりはエネルギー）は先に点灯した側のＬＥＤ（図６の例ではＣｈ．１）が点灯している間に供給される駆動電力よりも少なくなるため、全く同じ仕様の照明器具を用いても発光光量に差が生じてしまうという問題もある。
【先行技術文献】
【非特許文献】
【０００９】
【非特許文献１】「ストロボ制御点灯電源 LGA-302 series」、［online］、京都電機器株式会社、［平成２８年５月３１日検索］、インターネット＜URL: https://www.kdn.co.jp/product/led/lga_302/＞
【発明の概要】
【発明が解決しようとする課題】
【００１０】
本発明は上記課題に鑑みて成されたものであり、複数のＬＥＤ照明器具を異なるタイミングで以てストロボ点灯させることが可能なＬＥＤストロボ点灯電源装置において、複数のＬＥＤ照明器具の発光期間が重なる場合であっても、一つのＬＥＤ照明器具の発光光量の変動を抑えるとともに、複数のＬＥＤ照明器具間の発光光量のばらつきを抑えることをその目的としている。
【課題を解決するための手段】
【００１１】
上記課題を解決するために成された本発明は、複数のＬＥＤ照明器具をそれぞれ独立したタイミングでストロボ点灯させるＬＥＤストロボ点灯電源装置において、
a)前記複数のＬＥＤ照明器具にそれぞれ対応して設けられ、各ＬＥＤ照明器具に供給する駆動電流をオン・オフする複数の半導体スイッチと、
b)商用交流電源による交流電圧を第１の直流電圧に変換する交流−直流変換回路と、
c)前記複数の半導体スイッチを通して前記複数のＬＥＤ照明器具にそれぞれ駆動電流を供給するために該複数の半導体スイッチにそれぞれ対応して設けられ、前記交流−直流変換回路の出力電圧を受けて前記第１の直流電圧よりも低い電圧値である第２の直流電圧を出力する複数の定電圧回路と、
d)前記複数の定電圧回路のそれぞれにおいて正負の電圧入力端間に接続された電圧低下抑制用の複数のコンデンサと、
e)前記交流−直流変換回路の正電圧出力端と前記複数の定電圧回路の正電圧入力端との間にそれぞれ介挿された複数の抵抗器と、
を備え、前記第１の直流電圧の電圧値と前記第２の直流電圧の電圧値の差を前記複数のＬＥＤ照明器具が同時にストロボ点灯したときの前記交流−直流変換回路の出力電圧の低下よりも大きく定めたことを特徴としている。
【００１２】
本発明に係るＬＥＤストロボ点灯電源装置では、外部の商用交流電源による交流電圧は交流−直流変換回路により第１の直流電圧に変換される。第１の直流電圧の電圧値はストロボ点灯のためにＬＥＤ照明器具に印加されるパルス状の駆動電圧の電圧値（第２の直流電圧の電圧値）よりも高い。この交流−直流変換回路の出力電圧はそれぞれ異なる抵抗器を通して複数の定電圧回路の正電圧入力端に与えられる。複数の定電圧回路はそれぞれ、入力された直流電圧を降圧して第２の直流電圧として出力する。複数のＬＥＤ照明器具のうちの或る一つのＬＥＤ照明器具が所定時間だけ点灯される際には、該一つのＬＥＤ照明器具に対応して設けられている半導体スイッチが所定時間だけオンされる。すると、該半導体スイッチに対応して設けられている定電圧回路の出力電圧に基づき、対応するＬＥＤ照明器具に駆動電流が供給され該照明器具が点灯する。
【００１３】
駆動電流つまりは負荷電流が流れることによって、対応する定電圧回路の入力電圧つまりは交流−直流変換回路の出力電圧は低下するものの、その低下は該定電圧回路の電圧入力端に設けられているコンデンサに蓄えられたエネルギーにより抑えられる。また、仮に入力電圧が低下してもそれが第２の直流電圧の電圧値以下に下がることはない。そのため、定電圧回路の定電圧作用によって該定電圧回路の出力電圧は一定に維持される。また、交流−直流変換回路の正電圧出力端と各定電圧回路の正電圧入力端との間にそれぞれ抵抗器が設けられているため、或る一つの定電圧回路の正電圧入力端において電圧が低下しても他の定電圧回路の正電圧入力端における電圧には影響を及ぼしにくい。そのため、複数のＬＥＤ照明器具の少なくとも一部の発光期間が重なるように点灯のタイミングが設定される場合でも、各定電圧回路の正電圧入力端における電圧低下はその定電圧回路のみが駆動電流を供給する場合と殆ど変わらない。その結果、各定電圧回路の定電圧作用により、いずれの定電圧回路の出力電圧も一定に維持される。
【００１４】
また、ＬＥＤ照明器具が発光したあと放電によってエネルギーを失ったコンデンサを充電するために交流−直流変換回路から該コンデンサに充電電流が流れるが、その充電電流の経路に抵抗器があるため時定数によって大きな過渡電流が流れることが回避される。それにより、交流−直流変換回路の出力容量を抑えることができる。
【発明の効果】
【００１５】
本発明に係るＬＥＤストロボ点灯電源装置によれば、複数のＬＥＤ照明器具を少なくとも一部の発光期間が重なるようにストロボ点灯させた場合であっても、各ＬＥＤ照明器具に印加されるパルス状の駆動電圧の電圧値は一定に維持されるので、各ＬＥＤ照明器具の発光光量の変動を抑えることができる。また、複数のＬＥＤ照明器具間の発光光量のばらつきも抑えることができる。さらにまた、本発明に係るＬＥＤストロボ点灯電源装置では、ＬＥＤ照明器具の発光時やその直後に交流−直流変換回路から出力する電流を抑えることができるため、交流−直流変換回路として出力容量が比較的小さなスイッチング電源を用いることができ、当該装置のコストを抑えることができる。
【図面の簡単な説明】
【００１６】
【図１】本発明の一実施例であるＬＥＤストロボ点灯電源装置のブロック構成図。
【図２】図１中の定電圧回路のブロック構成図。
【図３】本実施例のＬＥＤストロボ点灯電源装置の動作の際の波形図。
【図４】従来のＬＥＤストロボ点灯電源装置のブロック構成図。
【図５】従来のＬＥＤストロボ点灯電源装置の動作の際の波形図。
【図６】従来のＬＥＤストロボ点灯電源装置の動作の際の波形図。
【発明を実施するための形態】
【００１７】
以下、本発明の一実施例であるＬＥＤストロボ点灯電源装置について、添付図面を参照して説明する。図１は本実施例のＬＥＤストロボ点灯電源装置のブロック構成図、図２は図１中の定電圧回路のブロック構成図である。
【００１８】
図１において、ＡＣ／ＤＣコンバータ１０、第１、第２であるバルス発生部１４ａ、１４ｂ、第１、第２である半導体スイッチ１５ａ、１５ｂ、及び制御部１６はそれぞれ、図４に示した従来装置におけるＡＣ／ＤＣコンバータ１０１、バルス発生部１０３ａ、１０３ｂ、半導体スイッチ１０４ａ、１０４ｂ、及び制御部１０５、と同じである。
【００１９】
本実施例のＬＥＤストロボ点灯電源装置１では、第１半導体スイッチ１５ａに対応して第１定電圧回路１３ａが設けられ、第２半導体スイッチ１５ｂに対応して第２定電圧回路１３ｂが設けられている。第１、第２定電圧回路１３ａ、１３ｂそれぞれの正負電圧入力端間には、図４に示した従来装置におけるコンデンサ１０２と同様の機能を有する第１、第２コンデンサ１２ａ、１２ｂが接続されている。そして、ＡＣ／ＤＣコンバータ１０の正電圧出力端と第１、第２定電圧回路１３ａ、１３ｂの正電圧入力端の間にはそれぞれ第１、第２抵抗器１１ａ、１１ｂが接続されている。即ち、ＡＣ／ＤＣコンバータ１０の正負電圧出力端から負荷側を見たとき、第１抵抗器１１ａ、第１コンデンサ１２ａ、第１定電圧回路１３ａ、第１パルス発生部１４ａ、及び第１半導体スイッチ１５ａを含む第１のＬＥＤ駆動部と、第２抵抗器１１ｂ、第２コンデンサ１２ｂ、第２定電圧回路１３ｂ、第２パルス発生部１４ｂ、及び第２半導体スイッチ１５ｂを含む第２のＬＥＤ駆動部と、が並列に接続された構成となっている。ここで、抵抗器１１ａ、１１ｂは例えば数Ω程度の小さな抵抗値を有するものである。
【００２０】
図２に示すように、第１、第２定電圧回路１３ａ、１３ｂは電圧降下を利用した一般的な回路であり、トランジスタなどを含む定電圧駆動部１３１と、定電圧制御部１３２と、電圧検出部１３３と、を含む。電圧検出部１３３は定電圧回路１３ａ、１３ｂの出力電圧を検出してその検出値を定電圧制御部１３２にフィードバックする。定電圧制御部１３２はツェナーダイオードなどによる基準電圧回路を含み、検出電圧が基準電圧になるように例えば定電圧駆動部１３１に含まれるトランジスタのベース電流を制御する。本実施例のＬＥＤストロボ点灯電源装置１では一例として、定電圧回路１３ａ、１３ｂは入力電圧が標準的に４８[Ｖ]、出力電圧が３６[Ｖ]であるものとしている。
【００２１】
本実施例のＬＥＤストロボ点灯電源装置１の動作を説明する。図３は点灯動作の際の波形図である。
ＡＣ／ＤＣコンバータ１０は外部の商用交流電源２から供給される交流電力を直流電力に変換する。ＡＣ／ＤＣコンバータ１０の正電圧出力端から出力される直流電圧（本発明における第１の直流電圧）は標準的に４８[Ｖ]である。この電圧は第１、第２抵抗器１１ａ、１１ｂを通して第１、第２定電圧回路１３ａ、１３ｂの正電圧入力端にそれぞれ入力される。また、この電圧により第１、第２コンデンサ１２ａ、１２ｂはそれぞれ充電される。第１、第２定電圧回路１３ａ、１３ｂは、入力された４８Ｖの直流電圧を３６Ｖ一定の直流電圧（本発明における第２の直流電圧）としてそれぞれ出力する。これにより、第１、第２半導体スイッチ１５ａ、１５ｂがいずれもオフであるとき、第１、第２定電圧回路１３ａ、１３ｂの出力端には約３６[Ｖ]の直流電圧が出力されている。
【００２２】
Ｃｈ．１のＬＥＤ３ａをストロボ点灯させるとき、制御部１６の指示を受けた第１パルス発生部１４ａは設定された発光時間に応じた１０〜１０００[μsec]程度の幅のパルス信号を生成し第１半導体スイッチ１５ａのゲート端子に加える。第１半導体スイッチ１５ａはパルス信号がＨレベルである期間だけオンする。すると、第１半導体スイッチ１５ａを介して第１定電圧回路１３ａの正負電圧出力端間にＬＥＤ３ａが接続されるから、第１定電圧回路１３ａの出力電圧に応じた駆動電流がＬＥＤ３ａに流れ、該ＬＥＤ３ａは発光する。
【００２３】
半導体スイッチ１５ａがオンして第１定電圧回路１３ａからＬＥＤ３ａに駆動電流が流れるとき、該電流を生成するためにＡＣ／ＤＣコンバータ１０から第１定電圧回路１３ａへ電流が流れるため、ＡＣ／ＤＣコンバータ１０の出力電圧は下がろうとする。このとき、第１定電圧回路１３ａの電圧入力端に設けられた第１コンデンサ１２ａに蓄えられた電気エネルギーにより第１定電圧回路１３ａに電流が供給されるため、該定電圧回路１３ａの入力電圧の急な電圧低下は抑えられる。もちろん、ＡＣ／ＤＣコンバータ１０のもともとの出力電圧は４８[Ｖ]であり、定電圧回路１３ａの入力電圧、出力電圧の差は十分に大きくなっているため、仮にＡＣ／ＤＣコンバータ１０の出力電圧が下がったとしても定電圧回路１３ａの定電圧動作が機能しなくなるほど入力電圧が下がることはない。そのため、第１定電圧回路１３ａの出力電圧は一定に維持され、図３中に示すようにＬＥＤ３ａに電圧値が一定であるパルス状の駆動電圧を印加することができる。
【００２４】
Ｃｈ．２のＬＥＤ３ｂをストロボ点灯させる場合の動作も全く同じであり、図３中に示すようにＬＥＤ３ｂに電圧値が一定であるパルス状の駆動電圧を印加することができる。
【００２５】
先に説明した図６（ｂ）、（ｃ）に示したように、Ｃｈ．１のＬＥＤ３ａとＣｈ．２のＬＥＤ３ｂを同時に又は少なくともその発光期間の一部が重なるようにストロボ点灯させるとき、本発明に係る図１に示した本実施例の装置では、第１、第２定電圧回路１３ａ、１３は独立に動作し、それぞれ一定の直流電圧を出力する。二つの定電圧回路１３ａ、１３ｂは第１、第２抵抗器１１ａ、１１ｂを介して接続されているので、例えば第１定電圧回路１３ａの正電圧入力端で電圧が低下したとしても、その電圧低下の影響は第２定電圧回路１３ｂの正電圧入力端に殆ど現れない。そのため、各定電圧回路１３ａ、１３から同時に駆動電流が流れた場合でも、各定電圧回路１３ａ、１３の正電圧入力端における電圧低下の状態は、図３に示したように一つのＬＥＤ３ａ又は３ｂが点灯した場合と殆ど同じである。したがって、各定電圧回路１３ａ、１３ｂへの入力電圧はそれら定電圧回路１３ａ、１３ｂによる定電圧動作に影響を及ぼさないレベル以上を維持し、この場合にも、定電圧回路１３ａ、１３ｂの出力電圧は３６Ｖを維持しそれ以下には低下しない。したがって、各ＬＥＤ３ａ、３ｂに電圧値が一定であるパルス状の駆動電圧をそれぞれ印加することができる。
【００２６】
また、ＬＥＤ３ａ、３ｂが発光する際に第１、第２コンデンサ１２ａ、１２ｂから第１、第２定電圧回路１３ａ、１３ｂに電流が流れるため、そのあと、それらコンデンサ１２ａ、１２ｂをそれぞれ充電するためにＡＣ／ＤＣコンバータ１０から充電電流が流れる。仮に抵抗器１１ａ、１１ｂがないとすると、第１、第２半導体スイッチ１５ａ、１５ｂがオフされた直後にＡＣ／ＤＣコンバータ１０から急に大きな充電電流が流れることになり、これを賄うような出力容量が必要となる。これに対し本実施例のＬＥＤストロボ点灯電源装置１では、ＡＣ／ＤＣコンバータ１０の電圧出力端とコンデンサ１２ａ、１２ｂとの間に抵抗器１１ａ、１１ｂがあり、この抵抗器１１ａ、１１ｂのために充電電流が制限される。その結果、コンデンサ１２ａ、１２ｂの充電には或る程度の時間が掛かるものの、ＡＣ／ＤＣコンバータ１０の出力容量をそれほど大きくする必要はなく、比較的低コストのスイッチング電源を用いることができる。
【００２７】
ここで、上記動作の際の具体的な数値例を示す。いま、ＬＥＤ照明器具を駆動する出力の仕様が、出力電流：５[Ａ]、出力電圧：３６[Ｖ]、最大点灯時間：１[msec]、であるとする。この場合、ＬＥＤ３ａ（又は３ｂ）を１回発光させるときの発光エネルギーは、
５×３６×０．００１[sec]＝０．１８[J}
である。コンデンサ１２ａ（又は１２ｂ）の容量が１０００[μF]であるとすると、該コンデンサ１２ａ（又は１２ｂ）の充電電圧は４８[Ｖ]であるから、コンデンサ１２ａ（又は１２ｂ）に蓄えられるエネルギーは、
（１／２）ＣＶ2＝（１／２）・１×１０-3[F]・４８2＝１．１５２[J]
である。ＬＥＤ３ａ（又は３ｂ）が１回発光して電圧が低下したときのコンデンサ１２ａ（又は１２ｂ）の両端電圧つまりは定電圧回路１３ａ（又は１３ｂ）の入力電圧をＶLとすると、
（１／２）ＣＶ2−（１／２）ＣＶL2＝０．１８[J]
これを解くと、ＶL＝４４．０９[Ｖ]である。即ち、１チャンネルのＬＥＤ照明器具がストロボ点灯すると、定電圧回路１３ａ、１３ｂの入力電圧は４[Ｖ]程度低下することになる。
【００２８】
上述したように、ＡＣ／ＤＣコンバータ１０の電圧出力端と定電圧回路１３ａ、１３ｂの電圧入力端との間にはそれぞれ抵抗器１１ａ、１１ｂがあるため、二つのＬＥＤ３ａ、３ｂが同時に又は発光期間の一部が重なるように発光したときでも、一方の定電圧回路の正電圧入力端の電圧低下は他方の定電圧回路の正電圧入力端の電圧に殆ど影響を及ぼさない。そのため、二つのＬＥＤ３ａ、３ｂが同時に又は発光期間の一部が重なるように発光した場合にも、各定電圧回路１３ａ、１３ｂの正電圧入力端の電圧は４４[Ｖ]程度以上である。一般に定電圧回路１３ａ、１３ｂでは正常な定電圧動作のために出力電圧よりも３[Ｖ]程度以上高い電圧を入力する必要があるが、上述したように入力電圧が４４[Ｖ]まで下がったとしても、出力電圧（３６[Ｖ]）よりも３[Ｖ]だけ高い３９[Ｖ]以上を十分な余裕を以て確保することができる。したがって、定電圧回路１３ａ、１３ｂから一定の電圧を出力することができ、ＬＥＤ３ａ、３ｂの発光光量の変動を回避することができる。
もちろん、ここで示した電圧値やコンデンサの容量値などの数値は単に一例であり、適宜に変更できることは当然である。
【００２９】
以上のように本実施例のＬＥＤストロボ点灯電源装置では、単一のＬＥＤ照明器具が点灯される場合はもちろんのこと、複数のＬＥＤ照明器具が同時に又は発光期間の一部が重なるようにストロボ点灯される場合でも、各ＬＥＤ照明器具に対し電圧値が一定のパルス状の駆動電圧を印加することができる。それにより、各ＬＥＤ照明器具の発光光量のばらつきや時間変動をなくすことができる。
【００３０】
なお、上記実施例は本発明の一例にすぎず、本発明の趣旨の範囲で適宜変形や修正、追加を加えても本願特許請求の範囲に包含されることは明らかである。
【符号の説明】
【００３１】
１…ＬＥＤストロボ点灯電源装置
１０…ＡＣ／ＤＣコンバータ
１１ａ、１１ｂ…抵抗器
１２ａ、１２ｂ…コンデンサ
１３ａ、１３ｂ…定電圧回路
１４ａ、１４ｂ…バルス発生部
１５ａ、１５ｂ…半導体スイッチ
１６…制御部
２…商用交流電源
３ａ、３ｂ…ＬＥＤ
【図１】
0006697188.tif 000002
【図２】
0006697188.tif 000003
【図３】
0006697188.tif 000004
【図４】
0006697188.tif 000005
【図５】
0006697188.tif 000006
【図６】
0006697188.tif 000007